(57)【要約】【課題】壁を壊さずに、木造建物の土台の水平修復が簡単に行えるようにする。【解決手段】アンカーボルト１は、アンカー２と両ねじボルト３の２つの部品からなる。アンカー２は、抜け難いよう下部を折曲した金属の棒であり、上端から中心軸に沿ってねじ孔５が穿設されている。両ねじボルト３は、スパナが係合する６角形の駆動部６が途中にあり、この駆動部から、互にねじの方向が異なるねじ棒が上下に延びている。下に延びるねじ棒３ａには通常とは逆のねじ（左ねじ）が刻んであり、これがアンカーのねじ孔５（これも逆ねじ）に螺合する。他方、上に延びるねじ棒３ｂには通常どおり右ねじが刻んであり、これがナット７に螺合する。ナット７は固定用のつば７ａを有している。【選択図】図２
2005133332.tif 000002
【特許請求の範囲】
【請求項１】
コンクリート基礎の上に基礎パッキンを介して土台を固定するためのアンカーボルトであって、該基礎の中に埋め込まれるアンカーと該アンカーの上に連結される両ねじボルトから構成され、該両ねじボルトは、回動工具が係合する駆動部を有し、この駆動部から、互にねじの方向が異なるねじ棒が上下に延びており、この下側ねじ棒は該アンカーに形成されたねじ孔に螺合され、上側ねじ棒は該土台を貫いて、該土台の上部に固定されたナットに螺合する木造建物の土台固定用アンカーボルト。
【発明の詳細な説明】
【技術分野】
【０００１】
この発明はコンクリート基礎上に木造住宅の土台を固定するアンカーボルトに関する。
【背景技術】
【０００２】
従来の木造家屋では、基礎の上に載置する土台は、コンクリート基礎中に下部を埋め込んだアンカーボルトに貫かれ、その突端に螺合したナットを締め付けて固定されている。
地震や地下水の汲み上げなどにより地盤が不等沈下して、家が傾くことがあるが、小さな不等沈下であれば、基礎はそのままにして土台だけを水平に調整してやれば十分である。そうするためには、アンカーボルトの上端に係合しているナットを緩めたり締め付けたりする必要があるが、該ナットは壁の中に隠れているので、壁を壊さないと作業ができない。アンカーボルトの数は少なくないので、後から壁を修復するとなると工費が嵩む。
【発明の開示】
【発明が解決しようとする課題】
【０００３】
この発明は、壁を壊さずに木造建物の土台の水平修復が簡単に行えるようなアンカーボルトを提供することを課題とする。
【課題を解決するための手段】
【０００４】
この発明のアンカーボルトはコンクリート基礎の上に基礎パッキンを介して木造建物の土台を固定するためのものであって、コンクリート基礎の中に埋め込まれるアンカーとその上に連結される両ねじボルトから構成される。アンカーは、抜けにくいよう例えば下部をＬ字に折曲した金属棒で作ることができ、これにボルトを立てられるように、上端からねじ棒の中にねじ孔を穿設する。両ねじボルトは、スパナのような回動工具が係合する駆動部（例えば６角形の鍔）を有し、この被駆動部から、互にねじの方向が異なるねじ棒が上下に延びている。この下側ねじ棒はアンカーに形成されたねじ孔に螺合され、上側ねじ棒は、土台を貫き、その上部に固定されたナットに螺合する（請求項１）。
【０００５】
新築工事の際は、アンカーをコンクリート基礎の中に埋め込んでおき、これに両ねじボルトをねじ込んで垂直に立てる。後は、従来のアンカーボルトの場合と同じであって、基礎の上に間隔を存して基礎パッキンを敷き、その上に土台を載せ、土台を貫いて上に突出した両ねじボルトにナットを螺合して締め付ける。
【０００６】
この発明では、ナットは締め付けるだけでなく、その後、土台にビスなどで固定して回らないようにしておく。こうして基礎の上に土台を固定した後、その上に家を建て上げて行く作業は従来どおりである。
【０００７】
こうして出来上がった家屋が、不幸にして地震などに遭遇し、地盤が不等沈下して、基礎と共に土台が傾いたとする。このような場合に、この発明では、他より低くなってしまった土台を持ち上げて、古い基礎パッキンを取り去り、もっと厚みの大きなものに交換することにより土台を水平に修復する。
【０００８】
まず、他より低くなった部分の土台を油圧ジャッキ等を使って少しだけ持ち上げる。この状態で、両側のアンカーボルトの各両ねじボルトを、スパナなどの工具を駆動部に係合してアンカーから抜け出る方向に回す。両ねじボルトには引張力が作用しているので、この方向に回すには、大きな力は必要なく、手で簡単に回すことができる。両ねじボルトをこのような方向に回すと、両ねじボルトの上下はねじの方向が反対になっているので、ナットがねじ棒に沿って上方に移動し、ナットと土台は固定されているので、土台が少しずつ上がっていく。
【０００９】
こうして、基礎と土台の間隔が適当な大きさに開いたら、それまで使用していた基礎パッキンを取り去り、もっと厚いものに交換する。その後は、油圧ジャッキを使って土台をゆっくりと下げ、建物の重さをアンカーボルトに少しだけかけるようにする。この状態で、スパナで両ねじボトを前とは反対方向に回すと、今度は土台が下がる。このようにして、土台を最終的に、交換して厚くなった基礎パッキンの上に着座させ、土台を水平に戻すことができる。
【００１０】
このようにこの発明のアンカーボルトは、両ねじボルトを回すだけで土台が上がったり下がったりする構造なので、ナットを回すために壁を壊す必要がなく、土台の水平修復工事が簡単にできる効果がある。
【発明を実施するための最良の形態】
【００１１】
アンカーボルト１は、図１に示すように、アンカー２と両ねじボルト３の２つの部品からなる。アンカー２は、抜け難いよう下部を折曲した金属の棒であり、上端から中心軸に沿ってねじ孔５が穿設されている。両ねじボルト３は、スパナが係合する６角形の駆動部６が途中にあり、この駆動部から、互にねじの方向が異なるねじ棒が上下に延びている。この実施例では、下に延びるねじ棒３ａには通常とは逆のねじ（左ねじ）が刻んであり、これがアンカーのねじ孔５（これも逆ねじ）に螺合する。他方、上に延びるねじ棒３ｂには通常どおり右ねじが刻んであり、これがナット７に螺合する。ナット７は固定用のつば７ａを有している。
【００１２】
アンカー２は、図２および図３に示すように、木造建物のコンクリート基礎１０の中に垂直に埋め込む。アンカーとアンカーの間隔は、従来のアンカーボルトの場合と同様、1.0〜1.5mくらいが望ましいがこれに限定されるものではない。
【００１３】
両ねじボルト３は基礎１０に埋め込まれた各アンカー２に、ほぼいっぱいに（駆動部６が基礎１０に当たるか当たらないくらい）ねじ込む。次いで、基礎上の、両ねじボルト３が立っている所に基礎パッキン１１を敷く。図２のＡ−Ａ断面に示すように、基礎パッキンは、スパナを使ってボルト３を回動するときに邪魔にならないよう、台形の切欠きを備えた本体部１１ａと、その切欠きを埋める補助部１１ｂから成り、補助部は後ではめ込むようにする。基礎パッキン１１は、床下に風が入るように基礎１０と土台１２の間に通風口１６を形成するものであり、厚みは20mmほどが普通であるが、これに限定されない。また、基礎パッキン１１は、充分な耐圧を有するものであれば、材質はポリプロピレン系など従来どおりのものでよい。基礎パッキン１１を敷いた後、土台にあけた穴を各ボルト３ｂに挿通するようにして、基礎１０の上に土台１２を置く。土台の上に突出したボルト３ｂにナット７をねじ込んで緊締し、ナットのつば７ａをビス１３で土台１２に固定する。この後の建築工事は従来と同様である。ナット７は内外の壁１８の中に隠れる。符号１９は柱である。
【００１４】
このアンカーボルトの真価が発揮されるのは、地震や地下水の汲み上げで地盤が不等沈下して家が傾いた場合である。このような場合は、まず、他より低くなった部分の土台１２を油圧ジャッキ１５を使って少しだけ（例えば数ミリ）持ち上げる。こうすると、図３に鎖線で誇張して示すように、土台１２は上に凸の格好で撓み、両側のボルト３には引張力が作用する。この状態で、図２のＡ−Ａ断面に示すようにスパナ１７を駆動部６に係合して、両側アンカーボルトの各両ねじボルト３をアンカー２から抜け出る方向に回す。ボルト３には引張力が作用しているので、この方向に回すには大きな力は必要なく、手で握ったスパナで簡単に回すことができる。両ねじボルト３をこのような方向に回すと、両ねじボルトの上下部はねじの方向が反対になっているので、上ねじ棒３ｂと螺合しているナット７がねじ棒に沿って上に移動し、ナット７と土台１２が固定されているので、土台１２も少しずつ上がっていく。土台が上がって両ねじボルトに加わっていた引張力が徐々に小さくなってくると、スパナを回すのに大きな力を要するようになってくる。そのときは、再びジャッキを駆動して土台を少し持ち上げてから、ボルト３を回すようにする。
【００１５】
こうした操作を繰り返して、基礎と土台の間隔が適当な大きさに拡大したら、それまで使用していた基礎パッキンを取り去り、もっと厚いものに交換する。その後、油圧ジャッキを使って土台をゆっくりと下げ、建物の重さをアンカーボルトに少しだけかけるようにする。この状態でスパナで両ねじボルト３を前とは反対方向に駆動すると、同ボルトは荷重がかかっているので小さな力で回すことができ、土台１２は徐々に下がって行く。このような操作を何度か繰り返しながら、土台を最終的に、交換した基礎パッキン１１の上に着座させる。こうすることで、土台は前より基礎パッキンの厚みが増した分だけ高くなり、土台を水平に修復することが可能になる。
【図面の簡単な説明】
【００１６】
【図１】アンカーボルトの斜視図である。
【図２】土台の横断面図である。
【図３】同じく土台の側面図である。
【符号の説明】
【００１７】
１    アンカーボルト
２    アンカー
３    両ねじボルト
５    ねじ孔
６    駆動部
７    ナット
１０  基礎
１１  基礎パッキン
１２  土台
１７  スパナ
【図１】
2005133332.tif 000003
【図２】
2005133332.tif 000004
【図３】
2005133332.tif 000005